(57)【要約】本発明の傘のしずく取り装置は、装置ボディの傘の差込口に弾性を有する複数の吸水体を所定間隔開けて放射状に設け、複数の吸水体の中間に傘の挿入空間を形成したものであり、閉じた濡れた傘を挿入空間に差込み、隣接する各吸水体間の隙間に傘地をそれぞれ挿入し、傘を差込方向に沿って摺動させることで傘地表面のしずくを吸水体で吸水して除去でき、簡略な構造で電力等のエネルギーを一切必要とせず、確実、短時間にしずくを吸水できる。また、この装置の設置促進システムは、所定のネットワークに接続されたサーバが広告を付加した傘のしずく取り装置の設置者並びに広告主を募集する処理と、設置者と広告主の各申込みを受付ける処理と、実際の装置管理者に必要な情報を伝える処理とを実行するものであり、傘のしずく取り装置の設置を効率よく進められ、装置の普及を促せる。
2004001307.tif 000002
【特許請求の範囲】
【請求項１】
装置ボディの傘の差込口に弾性を有する複数の吸水体を各吸水体間に所定間隔の隙間を形成するように放射状に設け、放射状に設けた複数の吸水体の中心部に傘の挿入空間を形成し、閉じた濡れた傘を挿入空間に差込んで隣接する各吸水体間の隙間に傘地をそれぞれ挿入し、傘の差込方向に沿って摺動させることで傘地表面のしずくを吸水体で吸水して除去できるようにした傘のしずく取り装置。
【請求項２】
各吸水体が、連続気泡を有する三角柱状の発泡材を硬質の補強板に着脱自在に取付けたものである前記請求項１に記載の傘のしずく取り装置。
【請求項３】
各吸水体が、表層がニットで裏層が通水性を有する軟質シートの二重構造の布体を三角柱状の弾性材の表面に被覆し、同弾性材を硬質の補強板に着脱自在に取付けたものである前記請求項１に記載の傘のしずく取り装置。
【請求項４】
各吸水体が、ニットの裏側に防水コーティングを施された構造の布体を三角柱状の弾性材の表面に被覆し、同弾性材を硬質の補強板に着脱自在に取付けたものである前記請求項１に記載の傘のしずく取り装置。
【請求項５】
傘の挿入空間の下部間隔が下方向に向けて拡径するように各吸水体の傘の挿入空間側下部を吸水体の背面側に向けて斜めに形成し、吸水した水が傘のトップと接しないように下方に排水できるようにした前記請求項１〜３のいずれかに記載の傘のしずく取り装置。
【請求項６】
放射状に配置した各吸水体同士を環状フレームで連結固定し、挿入空間に傘を差込んだ際各吸水体間の隙間の拡大を防止して吸水性を保持できるようにした前記請求項１〜５のいずれかに記載の傘のしずく取り装置。
【請求項７】
各吸水体間の隙間に差込まれた傘を引抜く際、傘地が環状フレームに引っ掛かるのを防止するガイド部をそれぞれに設けた前記請求項６に記載の傘のしずく取り装置。
【請求項８】
各吸水体の挿入空間側の角部に切り欠きを傘の差込方向に沿って所定間隔おいて複数箇所設け、吸水体を変形しやすくして傘を円滑に摺動できるようにした前記請求項１〜７のいずれかに記載の傘のしずく取り装置。
【請求項９】
孔が多数形成された排水パイプを当該パイプ末端が吸水体下面又は背面に露出するように吸水体内に設け、吸水した水を孔から排水パイプ内に集水して吸水体外に排水できるようにした前記請求項１〜８のいずれかに記載の傘のしずく取り装置。
【請求項１０】
吸水体の下方に弾性を有する複数の吸水ローラを差込まれた傘を取囲むように放射状に配置し、同各吸水ローラを押圧して吸水した水を絞出する押圧片を設け、しずくを吸水しながら同時に絞出することにより吸水能力を一定に保持できるようにした前記請求項１〜９のいずれかに記載の傘のしずく取り装置。
【請求項１１】
吸水体の下方に吸水した水を回収する受皿を装置ボディ外に出し入れ自在に設けた前記請求項１〜１０のいずれかに記載の傘のしずく取り装置。
【請求項１２】
吸水した水を受皿に案内するシュートを受皿の上方に設けた前記請求項１１に記載の傘のしずく取り装置。
【請求項１３】
所定のネットワークを通じて所定のコンテンツを含むホームページを閲覧可能に提供するサービスを行うサーバと、前記ネットワークを通じて前記ホームページを閲覧可能な複数のクライアントとを備え、前記サーバが、広告を付加した傘のしずく取り装置の設置・運営事業説明及び前記装置の設置希望者募集の各内容を設置申込み用情報入力欄と共にコンテンツとしてホームページ上に表示する設置者募集表示処理部と、前記設置申込み用情報入力欄への入力に伴い設置希望者のクライアントから送信される設置申込み用情報を受取って記憶する設置申込み受付処理部と、前記設置希望者の設置しようとするしずく取り装置に設ける広告の広告主を募集する内容を広告申込み用情報入力欄と共にコンテンツとしてホームページ上に表示する広告主募集表示処理部と、前記広告申込み用情報入力欄への入力に伴い広告主のクライアントから送信される広告申込み用情報を受取って記憶する広告申込み受付処理部と、前記設置申込みとこれに対応する広告申込みに伴って前記しずく取り装置の設置が可能となった場合に、しずく取り装置の設置・管理を行う装置管理者のクライアントにしずく取り装置の設置・管理の指示と設置に必要な情報を送信する申込み情報伝達処理部とを備えるプログラムを実行することを特徴とする傘のしずく取り装置の設置促進システム。
【請求項１４】
前記申込み情報伝達処理部における処理において、装置管理者へ送信する情報中に、広告デザイン設計及びしずく取り装置外面への広告作成の各指示を含ませることを特徴とする前記請求項１３に記載の傘のしずく取り装置の設置促進システム。
【発明の詳細な説明】
【技術分野】  本発明は、濡れた傘のしずくを吸水する装置、及び、ネットワークを介した情報のやり取りで前記装置の設置を促す設置促進システムに関する。
【背景技術】  従来、公共施設や店舗などの建物において雨天時に使用して濡れた傘は建物の出入口に備えた傘立てに立て掛けるか、建物内を持歩く際にしずくが落ちないようにビニル袋でカバーしていた。こうしたビニル袋は一回使用すると再利用することなく廃棄されて無駄があることから、近年では使い捨てのビニル袋に代って、濡れた傘を熱風で強制乾燥させる装置や傘を回転させて遠心力によりしずくを飛散させる装置が実用化されている。しかしながら、いずれも構造が複雑且つ高価で電力等のエネルギーを要し、しかもしずく取りに時間がかかるとあって普及には至っていない。
本発明は前記課題を解消するためになされたもので、シンプルな構造で電力等のエネルギーを一切必要とせず、簡便且つ確実、短時間にしずくを吸水でき、しかも吸水能力を一定に保持できる傘のしずく取り装置、並びに、当該装置の設置促進、普及拡大を効果的に行える設置促進システムを提供することを目的とする。
【発明の開示】
１  本発明に係る傘のしずく取り装置は、装置ボディの傘差込口に弾性を有する複数の吸水体を各吸水体間に所定間隔の隙間を形成するように放射状に設け、放射状に設けた複数の吸水体の中心部に傘の挿入空間を形成したものであり、濡れた傘をボディの差込口から挿入空間に差込んで傘地を各吸水体間の隙間に挿入し、傘の差込方向に沿って摺動させることにより、傘地表面のしずくが各吸水体に吸水され、これを繰返すことで傘地全面のしずくが除去される一方、しずくを吸水した各吸水体は次の傘の差込時に圧縮変形することで吸水体内の水分が下方へ移動して絞出されることとなり、水吸収の飽和状態に達することがなく、一定の吸水能力が保持される。
２  また、本発明に係る傘のしずく取り装置は必要に応じて、各吸水体が、連続気泡を有する三角柱状の発泡材を硬質の補強板に着脱自在に取付けてなるものであり、吸水体として連続気泡を有する発泡材を用いることにより、吸水性に優れている吸水体を低コストで得られる他、発泡材を補強板に対し着脱自在とすることで交換等のメンテナンス性を向上させられる。
３  また、本発明に係る傘のしずく取り装置は必要に応じて、各吸水体が、表層がニットで裏層が通水性を有する軟質シートの二重構造の布体を三角柱状の弾性材の表面に被覆し、同弾性材を硬質の補強板に着脱自在に取付けてなるものであり、弾性材表面にニットと通水性軟質シートの二重構造の布体を配することにより、吸水したしずくを傘地に戻さないように保水すると共に排水も円滑に行え、吸水能力に優れた吸水体とすることができる他、弾性材を補強板に対し着脱自在とすることで交換等のメンテナンス性を向上させられる。
４  また、本発明に係る傘のしずく取り装置は必要に応じて、各吸水体が、ニットの裏側に防水コーティングを施された構造の布体を三角柱状の弾性材の表面に被覆し、同弾性材を硬質の補強板に着脱自在に取付けてなるものであり、弾性材表面に前記構造の布体を配することにより、ニットが吸水した水分を傘地に戻さないように保水しつつ速やかに排水でき、吸水能力に優れた吸水体とすることができる他、弾性材を補強板に対し着脱自在とすることで交換等のメンテナンス性を向上させられる。
５  また、本発明に係る傘のしずく取り装置は必要に応じて、傘の挿入空間の下部間隔が下方向に向けて拡径するように各吸水体の傘の挿入空間側下部を吸水体の背面側に向けて斜めに形成したものであり、各吸水体の傘の挿入空間側下部を傘のトップと接しないようにすることにより、吸水体に吸水した水分を傘のトップと接触させずに下方へ排水できる。
６  また、本発明に係る傘のしずく取り装置は必要に応じて、放射状に配置した各吸水体同士を環状フレームで連結固定したものであり、挿入空間に傘を差込んだ際、各吸水体間の隙間の拡大を環状フレームで防止することとなり、吸水性を保持できる。
７  また、本発明に係る傘のしずく取り装置は必要に応じて、各吸水体間の隙間に差込まれた傘を引抜く際、傘地が環状フレームに引っ掛かるのを防止するガイド部をそれぞれに設けたものであり、ガイドで傘地と環状フレームとの接触を回避して、傘地の環状フレームへの引っ掛かりを防止でき、大きめの傘でも円滑に摺動させられ、しずくを効率的に吸水させることができる。
８  また、本発明に係る傘のしずく取り装置は必要に応じて、各吸水体の挿入空間側の角部に切り欠きを傘の差込方向に沿って所定間隔おいて複数箇所設けたものであり、挿入空間に傘を差込んで摺動させる際、吸水体が変形しやすく傘を円滑に摺動させられる。
９  また、本発明に係る傘のしずく取り装置は必要に応じて、吸水体内に多孔が形成された排水パイプをその末端が吸水体下面又は背面に露出するように設けたものであり、吸水したしずくを多孔から排水パイプ内に集水して吸水体外に確実に排水でき、吸水能力を一定に保持できる。
１０  また、本発明に係る傘のしずく取り装置は必要に応じて、吸水体の下方に差込まれた傘を取囲むように弾性を有する複数の吸水ローラを放射状に配置すると共に、前記各吸水ローラを押圧して吸水した水を絞り出す押圧片を設けたものであり、吸水ローラでしずくを吸水しながら同時に吸水ローラから水を絞り出すことにより、吸水ローラの吸水能力を一定に保持でき、吸水ローラと接する傘のトップから確実に吸水できる。
１１  また、本発明に係る傘のしずく取り装置は必要に応じて、吸水体の下方に吸水した水を回収する受皿を装置ボディ外に出し入れ自在に設けたものであり、受皿内に一定量の水を貯水するとボディ外に引出して処理できる。
１２  また、本発明に係る傘のしずく取り装置は必要に応じて、受皿の上方に吸水した水を受皿に案内するシュートを設けたものであり、吸水した水を下方の受皿に案内して回収させられる。
１３  また、本発明に係る傘のしずく取り装置の設置促進システムは、所定のネットワークを通じて所定のコンテンツを含むホームページを閲覧可能に提供するサービスを行うサーバと、前記ネットワークを通じて前記ホームページを閲覧可能な複数のクライアントとを備え、前記サーバが、広告を付加した傘のしずく取り装置の設置・運営事業説明及び前記装置の設置希望者募集の各内容を設置申込み用情報入力欄と共にコンテンツとしてホームページ上に表示する設置者募集表示処理部と、前記設置申込み用情報入力欄への入力に伴い設置希望者のクライアントから送信される設置申込み用情報を受取って記憶する設置申込み受付処理部と、前記設置希望者の設置しようとするしずく取り装置に設ける広告の広告主を募集する内容を広告申込み用情報入力欄と共にコンテンツとしてホームページ上に表示する広告主募集表示処理部と、前記広告申込み用情報入力欄への入力に伴い広告主のクライアントから送信される広告申込み用情報を受取って記憶する広告申込み受付処理部と、前記設置申込みとこれに対応する広告申込みに伴って前記しずく取り装置の設置が可能となった場合に、しずく取り装置の設置・管理を行う装置管理者のクライアントにしずく取り装置の設置・管理の指示と設置に必要な情報を送信する申込み情報伝達処理部とを備えるプログラムを実行するものである。このように本発明においては、広告を付加した傘のしずく取り装置の設置を促し、しずく取り装置の普及を図ることで使用後に廃棄物となるビニル袋の使用量を減らして環境への負荷を低減できる。
１４  また、本発明に係る傘のしずく取り装置の設置促進システムは必要に応じて、前記申込み情報伝達処理部における処理において、装置管理者へ送信する情報中に、広告デザイン設計及びしずく取り装置外面への広告作成の各指示を含ませるものであり、広告主の要望に応じて装置管理者が適切に広告を作成して設置希望者の下へ速やかに設置できる。
【図面の簡単な説明】  図１は本発明の第１の実施形態に係る傘のしずく取り装置の外観図である。
図２は図１のＡ−Ａ断面図である。
図３は本発明の第１の実施形態に係る傘のしずく取り装置における吸水部の斜視図である。
図４は本発明の第１の実施形態に係る傘のしずく取り装置における吸水部の横断面図である。
図５は本発明の第１の実施形態に係る傘のしずく取り装置における吸水体の斜視図である。
図６は本発明の第１の実施形態に係る傘のしずく取り装置における布体の断面図である。
図７は本発明の第１の実施形態に係る傘のしずく取り装置におけるしずくの吸水各段階を示す説明図である。
図８は本発明の第１の実施形態に係る傘のしずく取り装置におけるしずくの吸水各段階における吸水体の横断面図である。
図９は本発明の第１の実施形態に係る傘のしずく取り装置における他の吸水体の斜視図である。
図１０は本発明の第１の実施形態に係る傘のしずく取り装置における別の吸水体の斜視図である。
図１１は本発明の第２の実施形態に係る傘のしずく取り装置における吸水体の縦断面図である。
図１２は本発明の第２の実施形態に係る傘のしずく取り装置における吸水体の横断面図である。
図１３は本発明の第２の実施形態に係る傘のしずく取り装置における他の吸水体の縦断面図である。
図１４は本発明の第２の実施形態に係る傘のしずく取り装置における他の吸水体の斜視図である。
図１５は本発明の第３の実施形態に係る傘のしずく取り装置の要部断面図である。
図１６は本発明の第３の実施形態に係る傘のしずく取り装置における下吸水部の説明図である。
図１７は本発明の第３の実施形態に係る傘のしずく取り装置における下吸水部の側面図である。
図１８は図１７のＢ−Ｂ断面図である。
図１９は本発明の第４の実施形態に係る傘のしずく取り装置における吸水部の斜視図である。
図２０は本発明の第４の実施形態に係る傘のしずく取り装置におけるガイドの説明図である。
図２１は本発明の第５の実施形態に係る傘のしずく取り装置の設置促進システムにおけるハードウェア構成図である。
図２２は本発明の第５の実施形態に係る傘のしずく取り装置の設置促進システムにおけるプログラムソフトウェア構成図である。
図２３は本発明の第５の実施形態に係る傘のしずく取り装置の設置促進システムにおける通信手順を示す説明図である。
図２４は本発明の第５の実施形態に係る傘のしずく取り装置の設置促進システムにおけるプログラムの前半フローチャートである。
図２５は本発明の第５の実施形態に係る傘のしずく取り装置の設置促進システムにおけるプログラムの後半フローチャートである。
図２６は本発明の第５の実施形態に係る傘のしずく取り装置の設置促進システムにおける商取引形態を示す説明図である。
図２７は本発明の第５の実施形態に係る傘のしずく取り装置の設置促進システムにおけるホームページでの設置者募集コンテンツ画面説明図である。
図２８は本発明の第５の実施形態に係る傘のしずく取り装置の設置促進システムにおけるホームページでの広告主募集コンテンツ画面説明図である。
【発明を実施するための最良の形態】（第１の実施形態）
以下、本発明の第１の実施形態に係る傘のしずく取り装置について、図１ないし図８に基づいて説明する。本実施の形態では、傘の差込口を二箇所に有したボディ内に三角柱状の吸水体を８体放射状に配置した傘のしずく取り装置の例を説明する。図１は本実施形態に係る傘のしずく取り装置の外観図、図２は図１のＡ−Ａ断面図、図３は本実施形態に係る傘のしずく取り装置における吸水部の斜視図、図４は本実施形態に係る傘のしずく取り装置における吸水部の横断面図、図５は本実施形態に係る傘のしずく取り装置における吸水体の斜視図、図６は本実施形態に係る傘のしずく取り装置における布体の断面図、図７は本実施形態に係る傘のしずく取り装置におけるしずくの吸水を示す説明図、図８は本実施形態に係る傘のしずく取り装置におけるしずくの吸水各段階における吸水体の横断面図である。
前記各図に示すように、本実施の形態に係る傘のしずく取り装置１は、傘の差込口を二箇所に有するボディ１内に吸水部２を二つ配置したものである。
前記ボディ１は、上面に傘を差込む円形の開口１ａを二箇所形成され、この開口１ａを未使用時に閉鎖できる蓋１ｂを開閉自在に設けられる。また、ボディ１正面下部には開口１ｃを形成され、この開口１ｃを閉鎖できる蓋１ｄを開閉自在に設けられる一方、ボディ１両側面上部には取っ手１ｅをそれぞれ設けられてなる。
前記吸水部２は、三角柱状の吸水体２ｋを隣接する吸水体２ｋと約５〜６ｍｍ離隔させて中心部に傘の挿入空間を形成するように傘の骨の本数分（図示では８体）放射状に配置し、各吸水体２ｋを環状の上フレーム２ａ及び下フレーム２ｂで傘の差込み時に各吸水体２ｋ間の隙間が拡大しないように一体的に固定してなる構成であり、ボディ１内の開口１ａ下方に２体吊設される。前記吸水体２ｋは、連続気泡を有する発泡ポリエチレンや発泡ウレタン、発泡ゴム等からなる三角柱状の弾性材２ｃの下方を背側にカットして傾斜部２ｄを形成し、軟質フッ素樹脂シート２ｆの表面にシリコン接着剤２ｇを介してニット２ｅを貼り合わせてなる布体２ｈ（例えば、東レ株式会社販売のアミーナ（商標））を前記弾性材２ｃの傾斜部２ｄを含む表面に被覆し、その端部を弾性材２ｃ背面に巻込ませた上で、弾性材２ｃとプラスチック製の補強板２ｉとを接着し、これを取付体２ｊに脱着自在に取付けて構成される。
吸水体２ｋを各フレームに固定する部材は、水が原因で錆びないようにステンレス等の金属やプラスチック、硬質のゴム等が用いられるが、ゴムの場合は傘の差込み時に外側に変形して吸水性が低下することがあるため、周囲をベルト材で固定しておくとよい。
吸水体２ｋとしては、安価で吸水性に優れている発泡ポリエチレンや発泡ウレタン、発泡ゴム等の連続気泡を有する発泡材のみを用いることもできる。この場合、発泡材は硬質な補強板に脱着自在に取付け、交換等メンテナンス性を向上できるようにしてもよい。
この吸水部２の他に、吸水した水を受皿に案内する漏斗状のシュート３、シュート３で案内された水を貯水する受皿４、及び傘の差込み過ぎを防止するストッパ５が配設される。
ボディ１の下部には水を回収する受皿をボディ外に出し入れ自在に設けているが、しずく取り装置が設置場所で恒久的に使用されるものである場合は、排水管を備えて常時ボディ１外に排水させることによりメンテナンス性を向上させてもよい。
次に、本実施形態に係る傘のしずく取り装置の吸水過程について説明する。雨水により濡れた傘Ｋを閉じてボディ１の開口１ａを通し、図７（ａ）、（ｂ）、及び図８（ａ）、（ｂ）に示すように、各吸水体２ｋ間の隙間に骨Ｋ１と傘地Ｋ２が徐々に挿入されるように差込み、傘Ｋを上下方向に摺動させる。
しずくは布体２ｈのニット２ｅに保水されるとともに、一部が軟質フッ素樹脂シート２ｆを通じて弾性体２ｃに吸水され、保水された水Ｗはニット２ｅと軟質フッ素樹脂シート２ｆの間を通って傾斜部２ｄに流れ、傘地Ｋ２に戻ることなく下方へ排水される。
以上の過程を繰返すと、各吸水体２ｋ内部に水が貯留されていき、いずれは飽和状態となって吸水されなくなる。しかし、図７（ｄ）に示すように、傘Ｋの差込み時に各吸水体２ｋが変形して圧縮することにより吸水した水Ｗが下方に移動して下端から絞出され、飽和状態に達することなく一定の吸水能力が保持される。
こうして、傘地Ｋ２表面のしずくは傘Ｋの２〜３回の摺動でほぼ全てが除去され、水はシュート３で下方の受皿４に案内されて回収され、受皿４内に一定量の水Ｗが貯水されると受皿４をボディ１外に引出して処理される。
このように、本実施の形態に係る傘のしずく取り装置は、濡れた傘Ｋをボディ１の開口１ａに差込んで数回上下動させるだけで極めて簡便且つ確実に短時間にしずくを吸水させることができる。また、装置は電力等エネルギーを一切必要とせず、シンプルな構造で故障が少なくメンテナンス性も良好で低コストで利用できる。
他の例として、図９、１０に示すように、吸水体の挿入空間側に切り欠きを長さ方向に複数設け、傘の摺動を円滑にして切り欠きの断面からしずくを吸水し易いようにすることもできる。図９に示すように、吸水体２ｋの切り欠き２ｍを深く形成したり、図１０に示すように、吸水体２ｋを複数に分割して切り欠き２ｍと同幅の隙間を形成するように所定間隔に取付けたりすることで、傘Ｋの摺動時にしずくが切り欠き２ｍや隙間の部分の断面から容易に吸水されやすくしている。
さらに、前記吸水体の他例として、前記第１の実施形態における布体２ｈの代りに、吸水力に優れたニット、例えばポリエステル系繊維による鹿子編組織等の裏面にアクリル、ウレタン、又はフッ素樹脂等の防水コーティングを施して形成される特殊な布体を、前記実施形態同様の弾性材２ｃの傾斜部２ｄを含む表面に前記防水コーティング面が弾性材２ｃ側に面するようにして被覆したものを用いることもでき、前記実施形態同様、濡れた傘Ｋを各吸水体２ｋ間の隙間に差込み、傘Ｋを上下方向に摺動させると、傘地Ｋ２表面のしずくは布体のニットに吸水され、吸水された水Ｗは防水コーティングにより弾性体２ｃには向わず、そのままニット内を重力に従って速やかに下方へ移動して傘地Ｋ２に戻ることなくニット下端から排出される。同時に、傘Ｋの差込み・摺動に伴い、各吸水体２ｋが変形して圧縮されることから、ニット中の水は下方への移動を促されると共に下端から絞出されることとなり、ニットの吸水能力が飽和状態に達することはなく、一定の吸水能力が保持される。加えて、各吸水体内部に水が貯留されることはなく、傘を差込む際の抵抗も少ない。
この他、前記第１の実施形態における吸水体２ｋに代えて、前記吸水体２ｋの布体２ｈの代りに起毛等表面を凹凸状とした撥水性のある布地（ポリエステル系繊維の編布等）の裏面にさらに防水コーティングを施して形成された布体を弾性材２ｃの表面に前記防水コーティング面が弾性材２ｃ側に面するようにして被覆したものを用いるようにすることもでき、濡れた傘Ｋをしずく取り装置に差込んで上下方向に摺動させると、傘地Ｋ２表面のしずくは前記布体表面の凹凸により絡め取られて傘地Ｋ２から離れ、この分離した水Ｗは防水コーティングにより弾性体２ｃには向わず、そのまま布体表面に沿って速やかに下方へ移動して傘地Ｋ２に戻ることなく排出される。装置内に吸水する部材が存在しないことから、しずくの除去能力は低下することもなく常時一定に保持される。
（第２の実施形態）
本発明の第２の実施形態に係る傘のしずく取り装置について、図１１及び図１２に基づいて説明する。図１１は本実施形態に係る傘のしずく取り装置における吸水体の縦断面図、図１２は本実施形態に係る傘のしずく取り装置における吸水体の横断面図である。
前記各図に示すように、本実施の形態に係る傘のしずく取り装置１は、前記第１の実施形態と異なる点として、多くの孔６ａが穿設された排水パイプ６を吸水体２ｋの内部に設けて吸水性を高めた構成を備えるものである。
前記排水パイプ６は、垂直に設けられ、末端を弾性材２ｃの下面に露出させている。この他、排水パイプ６は、図１３、図１４に示すように２０°ほど傾斜させ、その末端を取付体２ｊ外に露出させるようにしたり、あるいは排水パイプを途中で折曲させて設けたりすることもできる。
次に、本実施形態に係る傘のしずく取り装置の吸水過程について説明する。しずくを吸水した弾性材２ｃは次の傘の挿入時に変形し、先に吸水された水が押しやられて孔６ａを通じて排水パイプ内に集水され、吸水体２ｋ外に排水される。従って、前記第１の実施形態と比較してより多量の水が吸水体２ｋ外に絞出されるから、常時吸水能力を高レベルで保持できる。
（第３の実施形態）
本発明の第３の実施形態に係る傘のしずく取り装置について、図１５〜図１８に基づいて説明する。図１５は本実施形態に係る傘のしずく取り装置の要部断面図、図１６は本実施形態に係る傘のしずく取り装置における下吸水部の説明図、図１７は本実施形態に係る傘のしずく取り装置における下吸水部の側面図、図１８は図１７のＢ−Ｂ断面図である。
前記各図に示すように、本実施の形態に係る傘のしずく取り装置１は、前記第１の実施形態と異なる点として、吸水部の下方に放射状に配置した吸水ローラからなる下吸水部７を設け、傘のトップにおけるしずくを確実に吸水できる構成を備えるものである。
前記下吸水部７は、上フレーム７ａと、下フレーム７ｂと、支柱７ｃと、前記吸水体２ｋの弾性材２ｃと同じ材質の吸水ローラ７ｄと、吸水ローラ７ｄに吸水された水を絞り出させる押圧片７ｅとからなる。複数の吸水ローラ７ｄは差込まれた傘を取囲むように放射状に回転自在に配置される。押圧片７ｅは吸水ローラ７ｄを常時押圧して吸水した水を絞り出し、一定の吸水能力を保持するものである。
次に、本実施形態に係る傘のしずく取り装置の吸水過程について説明する。傘のトップが、各吸水ローラ７ｄの挿入空間に差込まれて接し、回転しながらしずくを吸水する。各吸水ローラ７ｄは吸水と平行して押圧片７ｅが各吸水ローラ７ｄの一部を圧縮して押圧し、傘Ｋの上下動による吸水ローラ７ｄの回転で押圧片７ｅが吸水ローラ７ｄ内に吸水された水を絞り出し、シュート３で下方の受皿４に案内されて回収する。従って、前記第１の実施形態と比較して吸水体２ｋと接しにくい傘Ｋのトップまで確実に吸水され、高い吸水能力を発揮できる。
（第４の実施形態）
本発明の第４の実施形態に係る傘のしずく取り装置について、図１９及び図２０に基づいて説明する。図１９は本実施形態に係る傘のしずく取り装置における吸水部の斜視図、図２０は本実施形態に係る傘のしずく取り装置におけるガイドの説明図である。
前記各図に示すように、本実施の形態に係る傘のしずく取り装置１は、前記第１の実施形態と異なる点として、上フレーム２ａの各吸水体２ｋ間にＬ字状のガイド８を取付けて、傘を引抜く際に傘地を上フレーム２ａに引っ掛からないようにした構成を備えるものである。
前記第１ないし第３の各実施形態においては、傘Ｋの上下動時に各吸水体２ｋ間の隙間に入った傘地が上フレーム２ａに引っ掛かる場合もあるが、本実施の形態では、Ｌ字状のガイド８により上フレーム２ａとの接触を回避して、傘地の引っ掛かりを防止できる。これにより大きめの傘でも円滑に摺動させられ、しずくを効率的に吸水させることができる。
なお、前記実施の形態ではガイド８を設けて傘地の引っ掛かりを防いでいるが、この他に、上フレーム２ａ、下フレーム２ｂ、及び取付体２ｊに代るものとして、各吸水体２ｋの取付体２ｊを略筒状に連続させて上フレーム２ａと下フレーム２ｂ共々一体化させたものに相当する取付フレームを各吸水体２ｋで共用する形で配設する構成とすることもでき、傘地が略筒状の取付フレームの存在で吸水体より外側には突出せず、傘地が装置内のいずれかに引っ掛かる事象自体がはじめから起り得ないことで、前記実施形態同様、傘を円滑に摺動させられる。また、この略筒状の取付フレームを、下側に向うほど開口断面積が小さくなるようにし、支持される各吸水体２ｋ同士が下に向うほど互いの間隔を狭くするよう構成することもでき、先細形状である傘全体への吸水体２ｋ表面の密着性を向上させてしずく取りの効率を高められる。さらにこの場合、取付フレームの下半分程度を省略して各吸水体２ｋ外周側の補強板２ｉ下部を露出させる構成とすることもでき、傘を先端まで差込んだ際、外周側に押される状態となる各吸水体２ｋ下部が取付フレームの存在しない分だけ外側に若干逃げられることとなり、間隔の詰った各吸水体表面と傘地との摩擦抵抗を減らして傘をスムーズに摺動させられる。傘が上方に動かされて吸水体２ｋの外周側に押される力が弱まった場合には、補強板２ｉの弾性復元力で吸水体２ｋ下部は元の位置に戻ろうとすることから、吸水体２ｋの傘に密着する状態は維持され、しずく取り能力の低下は生じない。
この他、前記第１ないし第４の各実施形態において、各吸水体２ｋの傘Ｋと接する角部に吸水体２ｋを変形しやすくする切り欠きを所定間隔おいて複数箇所形成すると傘Ｋが円滑に摺動できて好ましい。
（第５の実施形態）
以下、本発明の第５の実施形態に係る傘のしずく取り装置の設置促進システムについて、図２１ないし図２８に基づいて説明する。図２１は本実施形態に係る傘のしずく取り装置の設置促進システムにおけるハードウェア構成図、図２２は本実施形態に係る傘のしずく取り装置の設置促進システムにおけるプログラムソフトウェア構成図、図２３は本実施形態に係る傘のしずく取り装置の設置促進システムにおける通信手順を示す説明図、図２４は本実施形態に係る傘のしずく取り装置の設置促進システムにおけるプログラムの前半フローチャート、図２５は本実施形態に係る傘のしずく取り装置の設置促進システムにおけるプログラムの後半フローチャート、図２６は本実施形態に係る傘のしずく取り装置の設置促進システムにおける商取引形態を示す説明図、図２７は本実施形態に係る傘のしずく取り装置の設置促進システムにおけるホームページでの設置者募集コンテンツ画面説明図、図２８は本実施形態に係る傘のしずく取り装置の設置促進システムにおけるホームページでの広告主募集コンテンツ画面説明図である。
前記各図に示すように、本実施の形態に係る設置促進システムは、インターネット等のネットワーク１０を介して接続される、本システム運用者Ａのサーバ２０と、しずく取り装置の設置を希望する装置設置者Ｂのクライアント３０と、しずく取り装置に広告を提供する広告主Ｃのクライアント４０と、しずく取り装置を装置設置者Ｂの下へ実際に設置し且つ保守を行う装置管理者Ｄのクライアント５０とからなるものである。
前記サーバ２０は、閲覧可能なホームページを提供すると共にホームページに付随する各種機能用プログラムを実行するコンピュータであり、ＣＰＵ２１、ＨＤＤ２２、ディスプレイ２３、キーボード２４、マウス２５、ＲＯＭ２６、ＲＡＭ２７、ネットワークインターフェース２８等を備える構成である。
このサーバ２０では、ホームページ、ネットワーク通信、及び電子メール送受をそれぞれ制御する基本処理部Ｐ０、設置者募集表示処理部Ｐ１、設置申込み受付処理部Ｐ２、広告主募集表示処理部Ｐ３、広告申込み受付処理部Ｐ４、及び申込み情報伝達処理部Ｐ５からなるプログラムＰが実行されている。このサーバ２０で得られた情報は、必要に応じてシステム運用者Ａの管理担当者（人）へも通知される。
前記クライアント３０、４０、５０は、それぞれ装置設置者Ｂ、広告主Ｃ、又は装置管理者Ｄの下でネットワーク１０に接続され、ホームページ閲覧及び電子メール送受が可能なパーソナルコンピュータである。
次に、本実施形態に係るしずく取り装置の設置促進システムにおける処理手順について説明する。まず、サーバ２０で設置者募集表示処理部Ｐ１が実行され、図２７に示すように、ネットワーク１０上に公開されているホームページ上で傘のしずく取り装置の無償（又は低料金負担）での設置を募る旨のコンテンツ画面が出力される。このコンテンツ画面には入力欄と申込み送信ボタンＳ１が表示され、これをクライアント側で入力操作することでサーバ２０側へ情報送信が行えるようになっている。
この無料設置を募る内容をクライアント３０を通じて見たビル・マンション・公共建造物等の所有者又は管理者（個人、企業、あるいは公共団体）は、装置設置者Ｂとして装置を設置したいと判断すれば、クライアント３０を通じてコンテンツ画面の入力欄に名称（氏名）・住所・連絡先・設置場所・設置台数等を入力し、設置申込みの送信ボタンＳ１をクリックする。これによって入力された情報が送信され、サーバ２０では設置申込み受付処理部Ｐ２が実行され、申込者（装置設置者Ｂ）の名称（氏名）・メールアドレス・設置場所・連絡先電話番号等の入力情報がＨＤＤ２２に記憶される。
続いて、サーバ２０における広告主募集表示処理部Ｐ３の実行によって、ホームページには、装置設置者Ｂの設置しようとするしずく取り装置に載せる広告を募集する旨のコンテンツ画面（図２８参照）が追加して掲示される。このコンテンツ画面にはしずく取り装置毎の設置場所・位置・台数が前記装置設置者Ｂの送信情報に基づいて表示されると共に、入力欄と広告申込み送信ボタンＳ２が表示され、これをクライアント側で入力操作することでサーバ２０側へ情報送信が行えるようになっている。
広告を募集する旨の前記コンテンツ画面は、新たな装置設置者Ｂからの申込み受付が行われるたびに、サーバ２０における広告主募集表示処理部Ｐ３の実行によって、しずく取り装置毎の設置場所・位置・台数等の情報が追加されて更新されていく。
このホームページＨＰにおける広告を募集する内容のコンテンツ画面をクライアント４０を通じて見た事業者が、所定箇所のしずく取り装置に広告を載せたいと判断すれば、クライアント４０を通じて広告主としての電子メールアドレス・名称（氏名）・住所連絡先・設置場所・台数等の入力事項の欄に入力し、広告申込み送信ボタンＳ２をクリックする。
広告申込み送信ボタンＳ２をクリックするとクライアント４０からサーバ２０に情報が送信され、サーバ２０では広告申込み受付処理部Ｐ４が実行され、申込者（広告主Ｃ）のメールアドレス・名称（氏名）・住所連絡先等の申込み情報がＨＤＤ２２に記憶される一方、これら申込み情報内容に不備等、問題がないかどうか確認処理が行われる。
サーバ２０において、広告主Ｃからの申込み内容を問題なしと認めて受理し、しずく取り装置を設置したい装置設置者Ｂと、そのしずく取り装置に広告を載せたい広告主Ｃとの組合せが成立すると、広告申込み受付処理部Ｐ４の実行により、広告主Ｃへ申込みを受理した旨の返信と、広告費用の見積や広告内容の問い合せ等をコンテンツ画面又は電子メールとして送信する。また、サーバ２０は、ホームページにおける広告を募集する旨のコンテンツ画面（図２８参照）に対し、該当するしずく取り装置についてその内容の削除、又は広告主決定済の表示を追加する更新処理を実施する。
サーバからの送信情報をクライアント４０を通じて受取った広告主Ｃでは、しずく取り装置に載せる広告デザインについての所定のフォーマットに則った指示内容をクライアント４０からサーバ２０に返信する。サーバ２０がこの広告主Ｃからのデザイン指示内容を受取ると、申込み情報伝達処理部Ｐ５が実行され、装置管理者Ｄのクライアント５０へしずく取り装置の広告デザイン案作成の依頼情報が前記デザイン指示内容と共に送信される。
装置管理者Ｄでは、クライアント５０を通じて広告デザイン製作のための情報を入手すると、これを基に広告デザイン案の作成を行う。作成されたデザイン案はクライアント５０からサーバ２０へ送信され、さらにサーバ２０から広告主Ｃのクライアント４０に転送される。デザイン案を受取った広告主Ｃは案の可否、その理由等の情報をクライアント４０からサーバ２０へ送信する。広告主Ｃからデザイン案を可とする内容の返信が行われるまで、デザイン案の作成と案の送信・転送が繰返されることとなる。
サーバ２０が広告主Ｃのクライアント４０から広告デザイン案を可とする内容の情報を受取り、広告デザインが確定すると、申込み情報伝達処理部Ｐ５が実行され、装置管理者Ｄのクライアント５０へしずく取り装置の設置場所・詳細位置・装置設置者Ｂ・広告主Ｃの名称（氏名）・住所・連絡先・担当者名等の情報が伝達される。
装置管理者Ｄでは、クライアント５０を通じて広告案確定及び装置設置用の諸情報を入手すると、広告デザイン案を確定デザインとして実際に広告製作に入り、広告完成後、入手した情報に基づいて設置場所へ出向き、しずく取り装置の設置を行う。なお、前記広告デザイン作成や装置設置作業の際、装置管理者Ｄにおける実際の広告製作担当者（人）や装置設置担当者（人）により、システム運用者Ａを介さずに電話・ＦＡＸ・電子メール等を使用して装置設置者Ｂ又は広告主Ｃと直接詳細な打ち合せが行われてもかまわない。
広告の付加されたしずく取り装置が装置設置者Ｂの指定した箇所に設置されると、装置管理者Ｄではその設置状況の写真画像をクライアント５０に入力し、写真画像を含む設置完了通知情報がクライアント５０からサーバ２０へ送信される。この設置完了通知情報は写真画像と共にサーバ２０から広告主Ｃのクライアント４０にも転送される。また、サーバ２０はこの装置管理者Ｄからのしずく取り装置設置完了通知が行われたことをシステム運用者Ａの管理担当者（人）へも通知し、システム運用者Ａでは広告主Ｃに対し費用請求を行う一方、装置管理者Ｄに対する設置・広告作成・保守管理等費用の支払いを行うこととなる。この他、システム運用者Ａにおいては、得られた写真画像を装置設置者Ｂ及び広告主Ｃからの承諾を得て、ホームページ上に成約例として紹介することもできる。
管理下の建物にしずく取り装置を設置された装置設置者Ｂでは、設置後この装置を管理費用等無しで維持でき、また雨の日に建物入口においてしずく落ち防止用のビニル袋を用意せずに済むようになり、ビニル袋のコストを省き、又使用済ビニル袋の廃棄処理費も不要となる。一方、しずく取り装置のある建物を訪れた人も、傘のビニル袋への出し入れを行わずに済み、しずく取り装置を用いて傘のしずくを取ってしずくの落ちない状態にすることができるので、傘の持運びや携帯も容易となり、建物及びその管理者に対し好印象を抱きやすくなる。
このように、本実施形態に係る傘のしずく取り装置の設置促進システムは、システム運用者Ａにより運用されるサーバ２０がネットワーク１０上で、傘のしずく取り装置の設置場所を提供する装置設置者Ｂと、傘のしずく取り装置に広告を掲載する広告主Ｃとを効率よく募集し、且つ、傘のしずく取り装置を設置すると共に設置後の保守管理を行う装置管理者Ｄに対して、必要な情報を適切且つ速やかに与えるなど、各者間のやり取りを調整、管理することにより、装置設置者Ｂは手間とコストをかけずに傘のしずく取り装置を導入できる一方、広告主Ｃは、建物の入口付近の人目に付きやすい箇所に広告スペースを確保でき、装置設置者Ｂによる装置の導入、広告主Ｃによる広告提供に抵抗がなく、しずく取り装置の設置が促される。また、システム運用者Ａや装置管理者Ｄも装置の設置に伴って収益が発生することとなり、しずく取り装置の設置に関わる各者いずれにも有益な結果をもたらして傘のしずく取り装置の普及を進めることができ、廃棄物となるビニル袋の使用量低減につなげられる。
なお、前記実施形態に係る設置促進システムにおいて、システム運用者Ａと実際に装置を取扱う装置管理者Ｄとは別組織であり、システム運用者Ａから装置管理者Ｄに依頼を伝達するようにしているが、この他、装置管理者Ｄがシステム運用者Ａを兼ね、ネットワーク上に限らず積極的にしずく取り装置の設置促進活動を行って、装置設置者Ｂ、広告主Ｃの申し込みを増やして装置の設置数を拡大し、収益増加を図るようにしてもかまわない。
【産業上の利用可能性】  本発明の傘のしずく取り装置は、シンプルな構造で電力等のエネルギーを一切必要とせず、簡便且つ短時間にしずくを吸水できることに加え、吸水能力を一定に保持でき、多数回の使用を経ても傘のしずくを確実に除去可能で、雨の日に建物入口に用意されるしずく落ち防止用のビニル袋に代り得るものとして、ビニル袋の使用量低減を促して廃棄物削減に貢献する。
また、本発明のしずく取り装置の設置促進システムは、ビル・マンション・公共施設等建物の管理者と広告主の双方に受入れられやすく、傘のしずく取り装置の設置箇所を無理なく増大させることができ、傘のしずく取り装置の利用増によりビニル袋の消費を抑えられ、資源の無駄使いや廃棄物の排出量増加の防止が図れる。
【図１】
2004001307.tif 000003
【図２】
2004001307.tif 000004
【図３】
2004001307.tif 000005
【図４】
2004001307.tif 000006
【図５】
2004001307.tif 000007
【図６】
2004001307.tif 000008
【図７】
2004001307.tif 000009
【図８】
2004001307.tif 000010
【図９】
2004001307.tif 000011
【図１０】
2004001307.tif 000012
【図１１】
2004001307.tif 000013
【図１２】
2004001307.tif 000014
【図１３】
2004001307.tif 000015
【図１４】
2004001307.tif 000016
【図１５】
2004001307.tif 000017
【図１６】
2004001307.tif 000018
【図１７】
2004001307.tif 000019
【図１８】
2004001307.tif 000020
【図１９】
2004001307.tif 000021
【図２０】
2004001307.tif 000022
【図２１】
2004001307.tif 000023
【図２２】
2004001307.tif 000024
【図２３】
2004001307.tif 000025
【図２４】
2004001307.tif 000026
【図２５】
2004001307.tif 000027
【図２６】
2004001307.tif 000028
【図２７】
2004001307.tif 000029
【図２８】
2004001307.tif 000030
【国際調査報告】
2004001307.tif 000031
2004001307.tif 000032
2004001307.tif 000033
2004001307.tif 000034
2004001307.tif 000035
2004001307.tif 000036
2004001307.tif 000037